【手続補正書】
【提出日】平成19年5月29日(2007.5.29)
【手続補正１】
【補正対象書類名】明細書
【補正対象項目名】００１２
【補正方法】変更
【補正の内容】
【００１２】
IS-856によって指定されたような、高レート・パケット・データ(HRPD)システムに関して、パイロット参照は順方向リンク送信の部分中に送信される。したがって、デカバー素子132は、基地局でパイロット参照をカバーするために使用された特別のチャンネライゼーション・コード(例えば、HDRシステムのためのウォルシュ・コード0)で逆拡散サンプルをデカバーする。その後、デカバーされたパイロット・サンプルはアキュムレータ134に供給され、特別の時間間隔にわたって蓄積されてパイロット・シンボルを生成する。蓄積時間間隔はパイロット・チャンネライゼーション・コードの持続期間、全体のパイロット参照期間、または他のある時間間隔であることができる。次にパイロット・シンボルはパイロット・フィルタ136に供給され、パイロット復調器126に提供されるパイロット推定値を生成するために使用される。データが存在する場合、パイロット推定値は、時間期間の間パイロット・シンボルを推定されまたは予測される。信号品質推定器150はまたパイロット推定値を受信し、各割り当てられたフィンガープロセッサ110の信号品質を推定する。
【手続補正２】
【補正対象書類名】明細書
【補正対象項目名】００１８
【補正方法】変更
【補正の内容】
【００１８】
各受信信号については、レイク受信機100はLマルチパスまで処理するように作動され、Ｌは利用可能なフィンガープロセッサ110の数を表わす。Ｌマルチパスの各々は、探索器素子112の援助で確認された特別の時間オフセットに相当する。コントローラまたは探索器素子112は、処理されているk個の受信信号の各々について、最も強いマルチパスの大きさ(αJi)および対応する時間オフセット(τi) のリストを維持するように設計されるかもしれない。
【手続補正３】
【補正対象書類名】明細書
【補正対象項目名】００２７
【補正方法】変更
【補正の内容】
【００２７】
図2Aを継続して、受信機では、アナログ波形はナイキストレートの適切な倍数でのように、ダウンコンバートされ、フィルタにかけられかつサンプリングされる。結果として生じるサンプルは等化器210によって処理され、それはセクション220によりモデル化されるように、チャンネルにより導入された信号歪み、および他の雑音および干渉について修正する。等化器210は送信されたシンボルy^(n)の推定値を出力する。シンボル推定値は次にデコーダ212によって処理され、元の情報ビット、つまりエンコーダ202への入力である源ビットを決定する。
【手続補正４】
【補正対象書類名】明細書
【補正対象項目名】００２８
【補正方法】変更
【補正の内容】
【００２８】
図2Aおよび図2Bに示されるパルス・フィルタ、I-Q変調器チャンネルおよび受信機のフロント・エンドにおけるアナログ・プロセッサの組み合せが、インパルス応答{hk}およびz-変換H(z)を有する線形フィルタ206によってモデル化され、そこではチャンネルにより導入された干渉および雑音が付加的ホワイトガウス雑音(AWGN)としてモデル化され、乗算器208に接続される。
【手続補正５】
【補正対象書類名】明細書
【補正対象項目名】００２９
【補正方法】変更
【補正の内容】
【００２９】
図2Bは、同相(I)および直角位相(Q)成分の処理のためにベースバンド・フィルタ226と228に接続された、フロント・エンド演算処理装置222を含む処理セクション220を詳述する。そして各ベースバンド・フィルタ226および228はそれぞれの搬送波と乗算のため乗算器（230,232）に接続される。次に、合成波形は合計ノード234で合計され、通信チャンネルを通して受信機に送信される。受信機では、アナログ前処理ユニット242は送信された信号を受信し、それは処理され、整合フィルタ244に渡される。整合フィルタ244の出力は、次にアナログ/ディジタル(A/D)変換器246に供給される。他のモジュールが設計および運用上の基準によって実施されてもよいことに注意すべきである。図2Aおよび2Bの構成要素および素子は以下の議論の理解のために提供され、通信システムの完全な記述であるようには意図されない。
【手続補正６】
【補正対象書類名】明細書
【補正対象項目名】００３２
【補正方法】変更
【補正の内容】
【００３２】
受信データ処理装置310内では、プリプロセッサ(示されない)からのサンプルのストリームが等化器312およびレイク 316の各々に供給される。各サンプルのストリームはそれぞれの受信信号から生成され、受信信号はアンテナ302から受信機304へルート設定される。等化器312はサンプルの受信ストリームの等化を行ない、ポストプロセッサ314にシンボル推定値を供給する。送信で行なわれた処理によって、ポストプロセッサ314は、回復されたシンボルを提供するためにシンボル推定値をさらに処理するかもしれない。特に、PN拡散およびカバーが送信機ユニットで行なわれる場合、ポストプロセッサ314は複素PN系列で逆拡散し、1つ以上のチャンネライゼーション・コードでデカバーを行なうように構成されるかもしれない。位相回転(それはレイク受信機のためのパイロット復調を経て達成される)は、フィルタ係数が採用された後、等化器312によって暗黙に達成される。
【手続補正７】
【補正対象書類名】明細書
【補正対象項目名】００４７
【補正方法】変更
【補正の内容】
【００４７】
等化器は、周波数ひずみによるISIをより有効に減少するかもしれない。これは、ISIを含む全体の雑音を最小化することを試みる間に、周波数ひずみのほぼ反対である応答を提供することにより達成される。このように等化器はチャンネルを“逆にし”、またマルチパスの影響を平らにすることを試みる。実際に、各フィルタは、係数が{0...0，1，0，...,0}に初期化される場合、１つのフィンガープロセッサと等価である。続いて、ゼロ値係数が適応されるとき、フィルタ周波数応答はチャンネルひずみを等しくするために変更される。したがって、等化器はマルチパス誘導ISIおよびチャンネル誘導ISIの両方に有効に対処するように使用されるかもしれない。
【手続補正８】
【補正対象書類名】明細書
【補正対象項目名】００５５
【補正方法】変更
【補正の内容】
【００５５】
例として、相互相関評価基準を以下のように考慮する。パイロット・シンボルPμを与えられて、連続パイロット・シンボル間の相関性は次のように推定されるかもしれない: NSUMパイロット・シンボルに関して平均することによって、
【手続補正９】
【補正対象書類名】明細書
【補正対象項目名】００６２
【補正方法】変更
【補正の内容】
【００６２】
可変レートデータ要求方式を使用する典型的なHDR通信システムにおける受信機は、図4に示される。受信機400は、逆方向リンク上で基地局(示されない) へデータを送信することにより、陸上ベースのデータ・ネットワークを用いる通信における加入者局である。基地局はデータを受信し、データを基地局コントローラ(BSC)(また示されない)を通して陸上ベースのネットワークへルート設定する。反対に、加入者局400への通信は陸上ベースのネットワークからBSCを経て基地局へルート設定され、基地局から順方向リンク上で加入者ユニットに送信されるかもしれない。順方向リンクは基地局から加入者局への送信を指し、また、逆方向リンクは加入者局から基地局への送信を指す。